(57)【要約】【課題】植木鉢の内部に充満した植木の古い根を容易に切り取ることができる植木鉢用根切り施肥具を提供する。【解決手段】円筒形であって、該円筒と直角方向に切断した形状の端面を有し、該端面側を上部端面とし、該円筒の他端は斜めに切断した形状の端面を有し、該端面側を下部端面とし、該下部端面を鋭利に尖らせたことを特徴とする植木鉢用根切り施肥具。【選択図】図３
0003209436.tif 000002
【実用新案登録請求の範囲】
【請求項１】
円筒形であって、該円筒と直角方向に切断した形状の端面を有し、該端面側を上部端面とし、該円筒の他端は斜めに切断した形状の端面を有し、該端面側を下部端面とし、該下部端面を鋭利に尖らせたことを特徴とする植木鉢用根切り施肥具。
【請求項２】
円筒形であって、該円筒と直角方向に切断した形状の端面を有し、該端面側を上部端面とし、該円筒の他端は斜めに切断した形状の端面を有し、該端面側を下部端面とし、該下部端面が円筒の肉厚部を外径から内径に向かって鋭利に尖らせた請求項１に記載の植木鉢用根切り施肥具。
【請求項３】
円筒形であって、該円筒の両端を該円筒と直角方向に切断した形状の端面を有し、該端面側を上部端面とし、他端面を下部端面とし、該下部端面の円筒の肉厚部を外径から内径に向かって鋭利に尖らせたことを特徴とする植木鉢用根切り施肥具。
【請求項４】
円筒形であって、該円筒の両端を該円筒と直角方向に切断した形状の端面を有し、該端面側を上部端面とし、他端面を下部端面とし、該下部端面の円筒の肉厚部を内径から外径に向かって鋭利に尖らせたことを特徴とする植木鉢用根切り施肥具。
【請求項５】
上記円筒形の施肥具はプラスチック製であることを特徴とする請求項１〜４のいずれ
かに記載の植木鉢用根切り施肥具。
【請求項６】
円筒形の下端部を鋭利に尖らせる角度がおよそ１５°であることを特徴とする請求項１〜４のいずれかに記載の植木鉢用根切り施肥具。
【請求項７】
円筒形であって、該円筒と直角方向に切断した形状の端面側を上部端面とし、該上部端面近傍に、貫通孔を設けた請求項１〜４のいずれかに記載の植木鉢用根切り施肥具。
【考案の詳細な説明】
【技術分野】
【０００１】  この考案は、一般家庭で行われている鉢植え盆栽やプランター栽培に利用できる簡単な施肥具に関するものであり、より詳しくは、一般家庭において主として植木鉢で栽培する草花や植木などに腐葉土等を施すための施肥具である。
【背景技術】
【０００２】  近年、一般家庭において観賞用に草花や植木などを植木鉢で育成する家庭が増えてきた。植木鉢で育成栽培する方法は、露地栽培と異なり広い土壌を必要知せず、マンションのベランダなどを利用して、植木鉢ごとに多種類の草花や植木などを育成栽培することができ、容易に観賞し楽しむことができる。【０００３】  しかし、例えば、植木鉢に苗木を定植して育成栽培する方法は、植木鉢に定植した最初の時期は水を与えておけば比較的簡単に成長が楽しめるが、成長するに従って次第に根が張り、植木鉢と言う限られた容器の中ではやがて根の成長に限界が生じてくる。【０００４】  また、草花や植木などの種類によっては毛根の成長が著しいものがあり、植木鉢の上から水をやっても毛根が十分に水を吸収せず枯れてしまうものもある。直射日光を受ける場合は特に水不足に注意をする必要がある。【０００５】  従来は、このような状態が生じた場合は、草花や植木などを、一旦、植木鉢から取り出して、土と根の絡まった植木鉢型をした根と土の塊を、先が細くなった棒状の熊手などでほぐし不要な毛根を掻き落とし、新たな腐葉土等で植え直す方法がとられていた。この方法は、植木にとっては古い根が完全に除去できるので最良の方法であるが、古い土などを廃棄するので作業場所が必要であり、植木鉢から古く硬くなった草花や植木などを取り出すのに労力を要するため良い方法とは知りつつも実行しづらいのが現状である。【０００６】  また、先行文献にあるように。草花や植木などの幹の周りに、パイプ状の植木鉢用水路を差し込み給水や施肥を行うこともあった。しかし、この方法は植木鉢に根が張ってしまった状態では、当該パイプを差し込んだところは施水できるが、そこから少し離れると水の回りが完全でないことが判明した。従って、このような場合は、草花や植木などの幹の周りに、幾つもの当該パイプを差し込む必要が生じていた。【０００７】  更にこの場合、給水や施肥はできるが、月日と共に成長した古い毛根が除去されず、弱ってきた植木などは回復が遅く成長が著しく劣ることが判った。
【先行技術文献】
【０００８】
【特許文献１】実登第３００９５８０号公報
【考案の概要】
【考案が解決しようとする課題】
【０００９】  先行技術のものでは、前述したように、月日と共に成長した古い毛根が除去されないため、古い毛根に寄生した根粒菌が増加する。これはやがて連作障害に繋がることが懸念される。露地植えの場合、根は新天地を求めて拡がってゆくが、植木鉢のように限られた容積の中では、植物にとっては極めて厳しい状況にあると言える。従って、草花や植木などが植木鉢の中でも元気に成長することができる環境を作る必要がある。
【課題を解決するための手段】
【００１０】  本考案は、上記の課題を解決するもので、植木鉢において、該植木鉢で成長した草花や植木（以下植物と言う）の幹の周囲に差し込もことができる円筒であって、差し込むことによって上記植物の根を部分的に切り取ると共に、切り取った上記根と、上記円筒内に圧入してきた土とを上記円筒共に、上記植木鉢から抜き取ることができる植木鉢用根切り施肥具である。【００１１】  上記植物の幹の周囲に差し込もことができる円筒はプラスチック製であり、該円筒の端面を、当該円筒の肉厚分について鋭利に尖らした端面とすることが望ましい。このようにすることにより、たとえ植木鉢の表面上の土が硬くなっていても、容易に植木鉢に植えた植物の幹の周囲に差し込もことができる【００１２】  上記植物の幹の周囲に差し込もことができる上記円筒は、上記鋭利に尖らした端面と相対する他端面の近傍に、上記円筒を貫通する穴を設けることが望ましい。この穴を利用することにより、植木鉢の幹の周囲に差し込んだ上記円筒を容易に引き抜くことができる。
【考案の効果】
【００１３】  植木鉢で栽培した植物は生長するに従って、根も月日と共に成長して、植木鉢内部に密集して土と共に硬くなる。本考案によれば、植木鉢で成長した植物の幹の周囲に本考案の施肥具を差し込むことによって、植木鉢内で成長した植物の古い根を切り取ることができる。そして、切り取った根と土を一挙に取り出すことができる。また、硬くなった植木鉢の土では容易に差し込むことができない場合がある、このような場合は、当該施肥具の上面を金槌で打ち込むことができ、パイプ下端部の鋭利に尖らせた部分で根を切り取ることができる。
【図面の簡単な説明】
【００１４】
【図１】本考案の施肥具を使用した植木鉢の（Ａ）は断面図、（Ｂ）は平面図である。
【図２】植木鉢から抜き取った本考案の施肥具を示す断面図である。
【図３】本考案における第１実施例の施肥具の断面図である。
【図４】本考案における第２実施例の施肥具の断面図である。
【図５】本考案における第３実施例の施肥具の断面図である。
【考案を実施するための形態】
【００１５】  本考案に係る各施肥具の実施形態について図面に基づいて説明する。
【実施例】
【００１６】  図１は本考案の施肥具を使用した植木鉢（Ａ）の断面図で（Ｂ）はその平面図である。先ず、断面図（Ａ）について説明する。植木鉢１には、土２と共に草花や植木３を定植する。前述したように、植物３は日増しに成長して幹４は太くなり、図１に示すように、根６は伸びて更に毛根５が植木鉢内に充満してくる。普通根が張った状態と言っているが、このような状態になるには数か月から１年を要する。根が張ってくると土２が硬くなり水を補給しても根６や毛根５が水分を吸収できなくなることが知られている。また、空気を含まない土になり益々硬くなる。このような状態で植物を栽培すると成長が止まり病気になることがある。【００１７】  本考案の施肥具７は、上述のような状態になったとき、施肥具７を植木鉢１に植えた植物３の周囲に複数個所差し込み、差し込むことによって張った毛根の一部を切り取り、施肥具７の円筒の中に切り取った毛根の一部と同時に入ってきた土９と共に引き抜く、引き抜いた状態は円筒の外径とほぼ同じ大きさの穴８が明く、また図１の（Ｂ）に示す１０は次回に施肥具７を差し込む予定の位置を示すものである。１１は植木鉢１の底に置いた小石であり、１２は植木鉢１の底に設けた水抜きの穴である。施肥具７を引き抜いた穴８には肥料成分のある腐葉土や新しい土などを充填する。【００１８】  本考案の植木鉢用根切り施肥具における第１実施例の施肥具７は図２に示すように円筒状７−４をしており、植木鉢１に差し込むと円筒の中には土９と土に混ざった毛根９−１が入ってくる状態を示している。植木鉢から引き抜いたとき、土と混ざった毛根９−１は円筒から外部に取り出し捨てる。【００１９】  次に図３について説明する。図３は第１実施例の施肥具７の断面図である。施肥具７は、一端は円筒と直角方向に切断した形状であって、他端は当該円筒を斜めに切断した形状としている。直角方向に切断した方の端面近傍には円筒を横方向に貫通した穴７−３を設けている。この穴は当該施肥具を植木鉢から引き抜くときに利用するものである。【００２０】  図３に示す施肥具の実施例では、円筒７−４の下端を斜めに切断した後、その端面を鋭利に尖らせている。尖らせる角度θ７−２はおよそ１５°として、円筒の肉厚部を外径から内径に向かって鋭利に加工している。【００２１】  図４について説明する。図４は第２実施例を示す、施肥具１７は、第１実施例と同じで円筒形である。上部端面は水平に切断した形状であり、その端面近傍には円筒を横方向に貫通した穴１７−３を設けている。他端は上部端面と平行の水平に切断されており、その端面は鋭利に尖らせている。尖らせる角度θ１７−２はおよそ１５°として、円筒の肉厚部を外径から内径に向かって鋭利に加工している。【００２２】  図５について説明する。図５は第３実施例を示す。この実施例において円筒部２７−４に横方向に貫通した穴２７−３を設けたところは上記の実施例と同じである。下端部を鋭利に尖らせた部分について、尖らせる角度θ２７−２はおよそ１５°として、円筒の肉厚部を内径から外径に向かって鋭利に加工しているところが他の実施例とは異なっている。【００２３】  本考案の施肥具を使用して植木鉢に植えた植物の古い根を定期的に切り取るこ��により、連作障害を防ぐことができ、給水時の水の吸い上げが良くなる。また、施肥具７を引き抜いた穴８には肥料分のある腐葉土や新しい土などを充填することができる。腐葉土の中には緩効性の肥料もあり植物の生育状態により適宜実施することができる。また、必要に応じて本考案の施肥具を使用して多くの穴を明けることにより、弱った鉢植えの植物を回復させることもできる。【００２４】  なお、この実施形態は一例として示したものであり、考案の範囲を限定するものではない。これら新規な実施形態はその他の様々な形態で実施されることが可能であり、考案の要旨を逸脱しない範囲で、様々な省略、置き換え、変更を行うことができる。これら実施形態やその変形は、本考案の範囲や要旨に含まれると共に、実用新案登録請求の範囲に記載された考案と、その均等の範囲に含まれる。
【符号の説明】
【００２５】  １  植木鉢
２  土
３  植物
４  植物の幹
５  毛根
６  根
７  施肥具
８  施肥具を抜いてできた穴
９  施肥具に中に入った土と根
１０  次回に施肥具を差し込む予定部分
１１  小石
１２  植木鉢の水抜き穴
【図１】
0003209436.tif 000003
【図２】
0003209436.tif 000004
【図３】
0003209436.tif 000005
【図４】
0003209436.tif 000006
【図５】
0003209436.tif 000007